(57)【要約】【課題】患者にかかる負担を軽減することができるカプセル型医療装置を提供する。【解決手段】カプセル型の筐体２と、該筐体２内に配置され、該筐体２外に配置された被検査部位の測定情報を取得する測定情報取得部４，６と、該測定情報取得部４，６により測定情報が取得された被検査部位の位置を特定するための情報を取得する位置特定情報取得部５と、該位置特定情報取得部５により取得された被検査部位の位置を特定するための情報と測定情報取得部４，６により取得された測定情報とを対応づけて記憶する記憶部７とを備えるカプセル型医療装置１を提供する。【選択図】図１
2009226066.tif 000002
【特許請求の範囲】
【請求項１】
カプセル型の筐体と、
該筐体内に配置され、筐体外に配置された被検査部位の測定情報を取得する測定情報取得部と、
該測定情報取得部により測定情報が取得された前記被検査部位の位置を特定するための情報を取得する位置特定情報取得部と、
該位置特定情報取得部により取得された被検査部位の位置を特定するための情報と前記測定情報取得部により取得された測定情報とを対応づけて記憶する記憶部とを備えるカプセル型医療装置。
【請求項２】
前記測定情報取得部が、筐体外の被検査部位を撮影して画像情報を取得する撮像素子を備える請求項１に記載のカプセル型医療装置。
【請求項３】
前記測定情報取得部が、前記被測定部位の測定情報として、前記撮像素子により取得された各画素の輝度値の最大値または平均値を算出する請求項２に記載のカプセル型医療装置。
【請求項４】
前記測定情報取得部が、前記被測定部位の測定情報として、前記撮像素子により取得された各画素の輝度値が所定の閾値を越える画素数を算出する請求項２または請求項３に記載のカプセル型医療装置。
【請求項５】
前記測定情報取得部が、筐体外の被検査部位の明るさ情報を検出する光検出器を備える請求項１に記載のカプセル型医療装置。
【請求項６】
前記位置特定情報取得部が、検査時間を計測するタイマーである請求項１に記載のカプセル型医療装置。
【請求項７】
前記位置特定情報取得部が、前記筐体にかかる圧力を検出する圧力センサである請求項１に記載のカプセル型医療装置。
【請求項８】
前記位置特定情報取得部が、腸内の細菌を検出する腸内細菌センサである請求項１に記載のカプセル型医療装置。
【請求項９】
前記位置特定情報取得部が、筐体の周囲のｐＨ値を検出するｐＨセンサである請求項１に記載のカプセル型医療装置。
【発明の詳細な説明】
【技術分野】
【０００１】
本発明は、カプセル型医療装置に関するものである。
【背景技術】
【０００２】
従来、カプセル型の筐体を有し、患者の体内に投入されて、体腔内を撮影して画像情報を取得するカプセル型医療装置が知られている（例えば、特許文献１参照。）。
このカプセル型医療装置は、無線送信手段を備えていて、取得した画像情報を患者の体外に配置された体外装置に向けて送信するようになっている。
【０００３】
【特許文献１】特開２００３−７０７２８号公報
【発明の開示】
【発明が解決しようとする課題】
【０００４】
しかしながら、特許文献１のカプセル型医療装置においては、患者が携帯式の体外装置を装着したり、設置式の体外装置の近くに留まったりして検査を行わなければならず、患者が拘束され、負担が大きいという不都合がある。
【０００５】
本発明は上述した事情に鑑みてなされたものであって、患者にかかる負担を軽減することができるカプセル型医療装置を提供することを目的としている。
【課題を解決するための手段】
【０００６】
上記目的を達成するために、本発明は以下の手段を提供する。
カプセル型の筐体と、該筐体内に配置され、該筐体外に配置された被検査部位の測定情報を取得する測定情報取得部と、該測定情報取得部により測定情報が取得された前記被検査部位の位置を特定するための情報を取得する位置特定情報取得部と、該位置特定情報取得部により取得された被検査部位の位置を特定するための情報と前記測定情報取得部により取得された測定情報とを対応づけて記憶する記憶部とを備えるカプセル型医療装置を提供する。
【０００７】
本発明によれば、カプセル型の筐体を患者の体腔内に投入すると、測定情報取得部の作動により筐体外の被検査部位の測定情報が取得されるとともに、位置特定情報取得の作動により被検査部位の位置を特定するための情報が取得される。そして、このようにして取得された測定情報と被検査部位の位置を特定するための情報とが対応づけられて記憶部に記憶される。
【０００８】
したがって、測定情報が記憶部に記憶されるので、体外に送信して蓄積する必要がなく、体外装置の装着や設置が不要となり、患者にかかる負担を軽減できるとともに、バッテリの消耗を抑えて長時間にわたる検査を行うことができる。また、記憶された測定情報は、被検査部位の位置を特定する情報と対応づけられているので、事後的に、各測定情報がどの被検査部位に対応しているのかを容易に確認することができる。
【０００９】
上記発明においては、前記測定情報取得部が、筐体外の被検査部位を撮影して画像情報を取得する撮像素子であってもよい。
このようにすることで、画像情報により被検査部位の状態をより詳細に検査することができる。
【００１０】
また、上記発明においては、前記測定情報取得部が、前記被測定部位の測定情報として、前記撮像素子により取得された各画素の輝度値の最大値または平均値を算出することとしてもよい。
各画素の輝度値の最大値を算出することで、癌組織等の病変部分に特異的に集積する蛍光薬剤や自家蛍光物質の量を測定でき、病変部分の存在を確認することができる。また、各画素の輝度値の平均値を算出することで、ノイズを低減して検査の信頼性を向上することができる。
【００１１】
また、上記発明においては、前記測定情報取得部が、前記被測定部位の測定情報として、前記撮像素子により取得された各画素の輝度値が所定の閾値を越える画素数を算出することとしてもよい。
このようにすることで、癌組織等の病変部分に特異的に集積する蛍光薬剤や自家蛍光物質がある程度存在する領域の広さを測定でき、病変部分の疑いのある領域の診断精度を向上することができる。
【００１２】
また、上記発明においては、前記測定情報取得部が、筐体外の被検査部位の明るさ情報を検出する光検出器であってもよい。
このようにすることで、記憶部に記憶するデータ量を低減することができ、長時間にわたる検査を容易にすることができる。
【００１３】
また、上記発明においては、前記位置特定情報取得部が、検査時間を計測するタイマーであってもよい。
このようにすることで、タイマーにより検査時間を計測することにより、画像情報に示される被検査部位、例えば、臓器の位置を事後的に同定し易くすることができる。
【００１４】
また、上記発明においては、前記位置特定情報取得部が、前記筐体にかかる圧力を検出する圧力センサであってもよい。
このようにすることで、圧力センサによって筐体に係る圧力の変化を監視することができ、検出される圧力値に応じて被検査部位を特定することができる。例えば、筐体が受ける圧力が大きいときは、食道、小腸、大腸等の細い臓器であり、圧力が小さいときは胃のような広い臓器であると判断することができる。
【００１５】
また、上記発明においては、前記位置特定情報取得部が、腸内の細菌を検出する腸内細菌センサであってもよい。
このようにすることで、腸内細菌センサによって腸内細菌が検出された場合に、被検査部位が大腸に移行したことを簡易に特定することができる。
【００１６】
また、上記発明においては、前記位置特定情報取得部が、筐体の周囲のｐＨ値を検出するｐＨセンサであってもよい。
このようにすることで、胃は他の臓器と比較してｐＨ値が低いので、ｐＨセンサの出力により被検査部位が胃に移行したことを簡易に特定することができる。
【発明の効果】
【００１７】
本発明によれば、患者にかかる負担を軽減することができ、かつ、事後的に、被検査部位の同定を容易に行うことができるという効果を奏する。
【発明を実施するための最良の形態】
【００１８】
本発明の一実施形態に係るカプセル型医療装置１について、図１〜図３を参照して以下に説明する。
本実施形態に係るカプセル型医療装置１は、図１に示されるように、円筒状の筐体本体２ａの両端を半球状の透明窓２ｂおよび端板２ｃによって密封したカプセル型の筐体２と、該筐体２内に収容され、透明窓２ｂを介して励起光を照射する照明部３と、筐体２外の被検査部位から透明窓２ｂを介して筐体２内に入ってくる蛍光を検出する光検出部（測定情報取得部）４と、カプセル型医療装置１が体腔内に投入されてからの経過時間を計測するタイマー（位置特定情報取得部）５と、光検出部４により検出された蛍光強度とタイマー５により計測された経過時間とを対応づける情報処理部（測定情報取得部）６と、該情報処理部６により対応づけられた情報を記憶する記憶するメモリ（記憶部）７と、これら各部に電力を供給するバッテリ８とを備えている。なお、バッテリ８から各部への配線は図示を省略している。
【００１９】
照明部３は、例えば、広帯域の光を発生するＬＥＤ３ａと、該ＬＥＤ３ａから射出された光から励起波長の光のみを透過させて透明窓２ｂから射出させる励起光フィルタ３ｂとを備えている。
光検出部４は、励起光を遮断する励起光カットフィルタ４ａと、励起光を除去された蛍光の強度を検出するフォトディテクタ（光検出器）４ｂとを備えている。
【００２０】
情報処理部６は、図２に示されるように、フォトディテクタ４ｂおよびタイマー５に接続され、フォトディテクタ４ｂから送られてくる蛍光の強度情報と、タイマー５から送られてくる経過時間とを対応づけてメモリ７に出力するようになっている。
【００２１】
このように構成された本実施形態に係るカプセル型医療装置１の作用について説明する。
本実施形態に係るカプセル型医療装置１によれば、患者の体腔Ｘ内に投入された時点で、タイマー５による経過時間の計測が開始される。そして、カプセル型医療装置１が体腔Ｘ内に配置されている状態で、照明部３の作動により透明窓２ｂを介して励起光が被検査部位に照射され、被検査部位に存在する蛍光物質が励起されて発生した蛍光が、透明窓２ｂを介して筐体２内に入射する。
蛍光物質から発生する蛍光としては、カプセル型医療装置１を患者に投与する前に予め患者に散布または静脈注射または経口投与などによって導入され、被検査部位に蓄積した色素から発生する蛍光、あるいは被検査部位から発生する自家蛍光が挙げられる。
【００２２】
筐体２内に入射した蛍光の強度は光検出部４によって検出される。次いで、光検出部４により検出された蛍光の強度情報と、該強度情報が検出された時点のタイマー５により計測された経過時間とが情報処理部６に入力され、情報処理部６において相互に対応づけられた形態でメモリ７に出力され記憶される。
【００２３】
このように、本実施形態に係るカプセル型医療装置１によれば、患者の被検査部位の測定情報となる蛍光の強度情報が、その測定時を示す経過時間と対応づけられて記憶されるので、検査が終了しカプセル型医療装置１が回収された後に、図３に示されるように、蛍光の強度情報の時間変化を提示することが可能となる。経過時間は、カプセル型医療装置１が体腔Ｘ内に投入された時点で計測開始されるので、例えば、図３に示されるように、蛍光の強度情報が検出された時点の被検査部位の位置を概略的に示すことができる。
【００２４】
その結果、例えば、図３に示す例では、経過時間的に小腸の位置と思われる位置に蛍光強度の比較的高い被検査部位が存在するので、小腸に癌組織等の病変部分が存在することを推測することができる。
また、本実施形態においては、患者の被検査部位の測定情報として蛍光の強度情報を採用しているので、そのデータ量は画像情報と比較して少なくて済み、大量にメモリ７に記憶することができる。したがって、データ取得のサンプリング時間を短く設定して、より詳細な検査を行うことができる。
【００２５】
なお、本実施形態においては、被検査部位の位置を特定するための情報として、カプセル型医療装置１を体腔Ｘ内に投入した時点で計測開始される経過時間をタイマー５により取得したが、これに代えて、あるいは、これに加えて、以下の情報を取得することとしてもよい。
第１に、図４および図５に示されるように、腸内細菌センサ９を用いて腸内細菌を検出した時点で、カプセル型医療装置１が大腸に移動したことを特定することとしてもよい。
【００２６】
腸内細菌センサ９としては、例えば、大気圧より高い所定の圧力に設定される圧力室１０と、その開口部１０ａを密閉するように配置され、腸内細菌の分泌する酵素によって破れるアゾポリマ膜１１と、圧力室１０内の圧力を検出する圧力センサ１２とを備えている。アゾポリマ膜１１の破断により、図６に示されるように圧力室１０内の圧力が低下するので、その圧力低下を圧力センサ１２で検出することにより、被検査部位が大腸に移行したことを検出することができる。カプセル型医療装置１が胃から大腸に到達するまでに要する時間には個人差があるため、この方法によれば大腸への到達を直接検出することができる点で、より正確に被検査部位の位置を特定することができる。
【００２７】
また、第２に、図７および図８に示されるように、圧力センサ１２を用いて測定した圧力変動により蛍光の輝度情報に対応する被検査部位の位置を特定することにしてもよい。例えば、図７に示されるように、圧力室１０の開口部１０ａを弾性膜１３によって閉塞しおき、弾性膜１３の弾性変形を圧力室１０内の圧力変動として検出することにすればよい。
【００２８】
図９に示されるように、体腔Ｘ壁面から受ける圧力が大きいときは、食道、小腸、大腸等の細い臓器であり、圧力が小さいときは胃のような広い臓器であると判断することができる。また、小腸と大腸との間の回盲弁を通過した直後には検出される圧力が一時的に低下するので、これによっても被検査部位の位置を特定することができる。
【００２９】
圧力センサ１２を用いる場合には、圧力値と被検査部位とを一意的に対応づけることができないので、図５および図８に示されるように、タイマー５による経過時間を併用するか、取得した圧力値を時系列に並べて保存しておく必要がある。
【００３０】
また、第３に、図１０に示されるように、ｐＨセンサ１４を用いて測定したｐＨ値の変動により蛍光の輝度情報に対応する被検査部位の位置を特定することとしてもよい。例えば、図１１に示されるように、胃は他の臓器と比較してｐＨ値が低いので、ｐＨセンサ１４の出力により胃に移行したことが判断できる。
ｐＨセンサ１４を用いる場合にも、ｐＨ値と被検査部位とを一意的に対応づけることができないので、図１０のようにタイマー５による経過時間を併用するか、取得したｐＨ値を時系列に並べて保存しておく必要がある。
【００３１】
また、上記タイマー５、圧力センサ１２、腸内細菌センサ９およびｐＨセンサ１４の２以上を組み合わせて使用することにしてもよい。
例えば、図１２に示されるように、タイマー５（図１参照。）と、圧力センサ１２と、腸内細菌センサ９とを組み合わせる場合、圧力室１０の開口部１０ａを閉塞する弾性膜１３に設けられた開口部１３ａをアゾポリマ膜１１により閉塞することにすればよい。
【００３２】
このようにすることで、大腸以外の被検査部位では、アゾポリマ膜１１が破れないように維持されるので、図１３に示されるように、被検査部位に応じて弾性膜１３が弾性変形して圧力室１０内の圧力が変動し、圧力センサ１２により検出される圧力が変動する。一方、カプセル型医療装置１が大腸に移動すると、アゾポリマ膜１１が腸内細菌の分泌する酵素によって破れるので、圧力室１０内の圧力値が低下する。したがって、圧力変動により被検査部位の位置をより精度よく特定することが可能となる。
【００３３】
また、例えば、タイマー５と、腸内細菌センサ９と、ｐＨセンサ１４とを組み合わせることにしてもよい。
このようにすることで、胃の位置をｐＨセンサ１４によるｐＨ値により特定し、大腸の位置を腸内細菌センサ９により特定し、それらの前後の食道や小腸の位置を経過時間によってより精度よく特定することができる。
特に測定情報として蛍光強度を用いている場合は、情報量が少ないため、メモリを節約することができるというメリットがあるものの、画像情報が無いため被検査部位を特定することができない。したがって、測定情報として蛍光強度を用いている場合は、被検査部位特定手段を用いることで、非検査部位の特定とメモリの節約を両立させることができ、その効果は特に大きなものとなる。
【００３４】
また、本実施形態においては、被検査部位の測定情報として蛍光の強度情報を例示したが、フォトディテクタ４ｂをＣＣＤに代えて、２次元画像情報を取得することにしてもよい。なお、２次元画像情報をそのまま記憶したのではデータ量が多大となるため、情報処理部６が、２次元画像情報から輝度情報と面積情報とを抽出し、抽出された輝度情報および面積情報を経過時間と対応づけることとしてもよい。
【００３５】
抽出する輝度情報としては、例えば、各画素の蛍光強度の最大値または平均値を採用すればよい。また、面積情報としては、蛍光強度が所定の閾値以上である領域の面積（すなわち、そのような蛍光強度を有する画素の画素数）を採用すればよい。
このようにすることで、図１４に示されるように、ノイズにより比較的狭い領域で大きな蛍光強度を有する被検査部位（図１４における符号Ｂ）が撮影されるのを防止し、病変が疑われる被検査部位（図１４における符号Ａ）の位置をより確実に特定することができる。
【図面の簡単な説明】
【００３６】
【図１】本発明の一実施形態に係るカプセル型医療装置を示す縦断面図である。
【図２】図１のカプセル型医療装置内部の構造を示すブロック図である。
【図３】図１のカプセル型医療装置により取得された蛍光強度と経過時間との関係を示すグラフである。
【図４】図１のカプセル型医療装置の位置特定情報取得部の第１の変形例を示す部分的な縦断面図である。
【図５】図４のカプセル型医療装置内部の構造を示すブロック図である。
【図６】図４の位置特定情報取得部により取得された圧力値と経過時間との関係を示すグラフである。
【図７】図１のカプセル型医療装置の位置特定情報取得部の第２の変形例を示す部分的な縦断面図である。
【図８】図７のカプセル型医療装置内部の構造を示すブロック図である。
【図９】図７の位置特定情報取得部により取得された圧力値と経過時間との関係を示すグラフである。
【図１０】図１のカプセル型医療装置の位置特定情報取得部の第３の変形例の内部の構造を示すブロック図である。
【図１１】図１０の位置特定情報取得部により取得されたｐＨ値と経過時間との関係を示すグラフである。
【図１２】図１のカプセル型医療装置の位置特定情報取得部の第４の変形例を示す部分的な縦断面図である。
【図１３】図１２の位置特定情報取得部により取得された圧力値と経過時間との関係を示すグラフである。
【図１４】図１のカプセル型医療装置の第５の変形例により取得された輝度情報および面積情報の時間変化を示すグラフである。
【符号の説明】
【００３７】
１  カプセル型医療装置
２  筐体
４  光検出部（測定情報取得部）
４ｂ  フォトディテクタ（光検出器）
５  タイマー（位置特定情報取得部）
６  情報処理部（測定情報取得部）
７  メモリ（記憶部）
９  腸内細菌センサ（位置特定情報取得部）
１４  ｐＨセンサ（位置特定情報取得部）
【図１】
2009226066.tif 000003
【図２】
2009226066.tif 000004
【図３】
2009226066.tif 000005
【図４】
2009226066.tif 000006
【図５】
2009226066.tif 000007
【図６】
2009226066.tif 000008
【図７】
2009226066.tif 000009
【図８】
2009226066.tif 000010
【図９】
2009226066.tif 000011
【図１０】
2009226066.tif 000012
【図１１】
2009226066.tif 000013
【図１２】
2009226066.tif 000014
【図１３】
2009226066.tif 000015
【図１４】
2009226066.tif 000016